(57)【要約】  【課題】  画像読取後の原稿に対するセキュリティを向上させることができる画像読取装置を提供する。  【解決手段】  画像読取が済んだ原稿を収容するロック付き原稿回収トレイ５４，５６，５８と、ユーザＩＤ及びパスワードなどの識別情報を記憶する記憶部３４と、識別情報の入力を受付ける操作部３６と、操作部３６が受付けた識別情報と記憶部３４に記憶されている識別情報とを照合する照合部３８と、照合結果が一致の場合は、ロック付き原稿回収トレイ５４，５６，５８のロックを解除する制御部２０とを備える。【選択図】      図１
2006333020.tif 000002
【特許請求の範囲】
【請求項１】
原稿の画像読取を行う画像読取装置において、
原稿取出用の開閉部を有し、画像読取が済んだ原稿を収容する収容手段と、
前記開閉部を閉じた状態にロックするロック手段と
を備えることを特徴とする画像読取装置。
【請求項２】
読取った画像をシートに形成する画像形成手段と、
シート取出用の開閉部を有し、画像が形成されたシートを収容する収容手段と、
前記開閉部を閉じた状態にロックするロック手段と
を備えることを特徴とする請求項１記載の画像読取装置。
【請求項３】
識別情報を記憶する記憶部と、
識別情報を受付ける受付手段と、
該受付手段が受付けた識別情報と前記記憶部に記憶されている識別情報とを照合する照合手段と、
照合結果が一致の場合は、前記ロック手段によってロックされた状態を解除するロック解除手段と
を備えることを特徴とする請求項１又は２記載の画像読取装置。
【請求項４】
原稿取出用の開閉部を有し、画像読取を行う原稿を収容する収容手段と、
画像読取の開始時に前記開閉部を閉じた状態にロックするロック手段と、
画像読取の終了後、前記ロック手段によってロックされた状態を解除するロック解除手段と
を備えることを特徴とする請求項１乃至３の何れかひとつに記載の記載の画像読取装置。
【請求項５】
原稿取出用の開閉カバーを有し、原稿を載置又は通過させる原稿台と、
画像読取の開始時に前記開閉カバーを閉じた状態にロックするロック手段と、
画像読取の終了後、前記ロック手段によってロックされた状態を解除するロック解除手段と
を備えることを特徴とする請求項１乃至３の何れかひとつに記載の画像読取装置。
【請求項６】
シート取出用の開閉カバーを有し、シートを搬送する搬送部と、
画像形成の開始時に前記開閉カバーを閉じた状態にロックするロック手段と、
画像形成の終了後に、前記ロック手段によってロックされた状態を解除するロック解除手段と
を備えることを特徴とする請求項２記載の画像読取装置。
【請求項７】
画像読取が済んだ原稿を収容する前記収容手段は複数設けられており、
使用する収容手段を決定する決定手段を備えることを特徴とする請求項１乃至６の何れかひとつに記載の画像読取装置。
【請求項８】
画像読取が済んだ原稿を収容する前記収容手段は複数設けられており、
識別情報及び収容手段の対応関係を記憶する記憶部と、
前記受付手段が受付けた識別情報及び前記対応関係に基づいて、使用する収容手段を決定する決定手段と
を備えることを特徴とする請求項３記載の画像読取装置。
【請求項９】
前記記憶部には、識別情報に対応するアドレス情報が記憶されており、
画像読取が済んだ原稿を収容する前記複数の収容手段が全て使用されている場合、前記記憶部に記憶されているアドレス情報に基づいて、原稿の回収要求を送信する送信手段を備えることを特徴とする請求項８記載の画像読取装置。
【請求項１０】
前記ロック解除手段は、ロックされた時点から所定時間経過した場合、ロックされた状態を解除するように構成してあることを特徴とする請求項３記載の画像読取装置。
【請求項１１】
画像読取が済んだ原稿を収容する前記複数の収容手段の一部は開閉部がロックされないように構成されており、
前記開閉部のロックが必要か否かの指示を受付ける受付手段を備え、
前記決定手段は、該受付手段が受付けた指示に応じて、使用する収容手段を決定するように構成してあることを特徴とする請求項７記載の画像読取装置。
【請求項１２】
画像読取が済んだ原稿を収容する前記収容手段、及び、画像が形成されたシートを収容する前記収容手段は共通の収容手段に一体化されていることを特徴とする請求項２記載の画像読取装置。
【発明の詳細な説明】
【技術分野】
【０００１】
本発明は、原稿の画像読取を行う画像読取装置に関し、より詳しくは複数ユーザで共用する画像読取装置に関する。
【背景技術】
【０００２】
複数人で共用する複写機、ファクシミリ機又は複合機などの画像読取装置を備える画像形成装置において、原稿又は印刷済みの用紙（以下、印刷用紙という）は、トレイ上に置かれるなど、第三者が容易に手に取ることが可能な状態にあり、盗難又は盗み見の危険にさらされている。そのため、機密性の高い原稿などを扱う場合などは、装置の使用中はユーザが常に監視を行う必要が生じるという問題がある。この問題は、少数ページ又は少数部数のコピーなどに対しては装置の作業量が比較的少なく、ユーザが原稿又は印刷用紙を監視する時間も短いため、あまり大きな問題にならないが、多数ページ又は多数部数のコピーなどに対しては、装置の作業量が多く、ユーザが原稿又は印刷用紙を監視する時間も長くなるため、大きな問題となる。例えばユーザは原稿又は印刷用紙を監視している間は他の作業が行えず、作業効率及び利便性が非常に低下するという問題がある。
【０００３】
このような問題に対して、複合機の排紙トレイに、パスワード又は指紋認証などの認証を用いたロック機能をもたせ、特定のユーザだけが印刷用紙を持出せるようにすることにより、印刷用紙を第三者から隔離してセキュリティを向上させる方法が提案されている（例えば特許文献１、２参照）。また、ファクシミリにおいて、原稿セット部にロック機能をもたせ、セットされた原稿を第三者が自由に見ることを防止して、原稿のセキュリティを向上させる方法も提案されている（例えば特許文献３参照）。
【特許文献１】特開２０００−３１８９１２号公報
【特許文献２】特開２０００−７２３２５号公報
【特許文献３】実開平２−９０５６８号公報
【発明の開示】
【発明が解決しようとする課題】
【０００４】
上述したように原稿セット部又は排紙トレイにロック機能をもたせることにより、原稿又は印刷用紙を第三者から隔離することが可能となる。しかし、上述した排紙トレイのロック機能では、印刷用紙を第三者から隔離することはできるが、原稿に関しては第三者から隔離することはできないという問題がある。また、上述した原稿セット部のロック機能では、画像読取前の原稿は第三者から隔離できるが、画像読取後の原稿を第三者から隔離できないという問題を有する。
【０００５】
このように、原稿セット部のみ又は排紙トレイのみのロック機能では、画像読取後の原稿の安全性を確保できないという問題がある。そのため、原稿の安全性を確保して、第三者が原稿を持ち出すこと等を防止するためには、複合機の使用中はユーザが常に原稿を監視し続けなければならないという問題がある。
【０００６】
本発明は斯かる事情に鑑みてなされたものであり、原稿取出用の開閉部を有し、画像読取が済んだ原稿を収容する収容手段と、前記開閉部を閉じた状態にロックするロック手段とを備えることにより、画像読取後の原稿に対するセキュリティを向上させることができる画像読取装置を提供することを目的とする。
【０００７】
また、本発明は、読取った画像をシートに形成する画像形成手段と、シート取出用の開閉部を有し、画像が形成されたシート（印刷シート）を収容する収容手段と、前記開閉部を閉じた状態にロックするロック手段とを備えることにより、印刷シートに対するセキュリティを向上させることができる画像読取装置を提供することを他の目的とする。
【０００８】
また、本発明は、識別情報を記憶する記憶部と、識別情報を受付ける受付手段と、該受付手段が受付けた識別情報と前記記憶部に記憶されている識別情報とを照合する照合手段と、照合結果が一致の場合は前記ロック手段のロックを解除するロック解除手段とを備えることにより、収容手段に収容されている原稿又は印刷シートのセキュリティを確保することができる画像読取装置を提供することを他の目的とする。
【０００９】
また、本発明は、原稿取出用の開閉部を有し、画像読取を行う原稿を収容する収容手段と、前記開閉部を閉じた状態にロックするロック手段と、画像読取の終了後に前記ロック手段のロックを解除するロック解除手段とを備えることにより、画像読取を行う原稿に対するセキュリティを向上させることができる画像読取装置を提供することを他の目的とする。
【００１０】
また、本発明は、原稿取出用の開閉カバーを有し、原稿を載置又は通過させる原稿台と、前記開閉カバーを閉じた状態にロックするロック手段と、画像読取の終了後に前記ロック手段のロックを解除するロック解除手段とを備えることにより、画像読取中の原稿に対するセキュリティを向上させることができる画像読取装置を提供することを他の目的とする。
【００１１】
また、本発明は、シート取出用の開閉カバーを有し、シートを通過させる搬送部と、前記開閉カバーを閉じた状態にロックするロック手段と、画像形成の終了後に前記ロック手段のロックを解除するロック解除手段とを備えることにより、搬送中のシートに対するセキュリティを向上させることができる画像読取装置を提供することを他の目的とする。
【００１２】
また、本発明は、画像読取が済んだ原稿を収容する前記収容手段は複数設けられており、使用する収容手段を決定する決定手段を備えることにより、ユーザの利便性を向上させた画像読取装置を提供することを他の目的とする。
【００１３】
また、本発明は、画像読取が済んだ原稿を収容する前記収容手段は複数設けられており、識別情報及び収容手段の対応関係を記憶する記憶部と、使用する収容手段を前記受付手段が受付けた識別情報及び前記対応関係に基づいて決定する決定手段を備えることにより、収容手段を効率的に使用することができる画像読取装置を提供することを他の目的とする。
【００１４】
また、本発明は、前記記憶部には識別情報に対応するアドレス情報が記憶されており、画像読取が済んだ原稿を収容する前記複数の収容手段が全て使用されている場合、前記記憶部に記憶されているアドレス情報に基づいて、原稿回収の要求を送信する送信手段を備えることにより、原稿又は印刷シートが未回収のユーザに通知を行うことができる画像読取装置を提供することを他の目的とする。
【００１５】
また、本発明は、ロックした時点から所定時間経過した場合は前記ロック解除手段がロックを解除するように構成してあることにより、収容手段に原稿又は印刷シートを収容したままの状態を防止できる画像読取装置を提供することを他の目的とする。
【００１６】
また、本発明は、画像読取が済んだ原稿を収容する前記複数の収容手段の一部は開閉部がロックされないように構成されており、前記開閉部のロックが必要か否かの指示を受付ける受付手段を備え、前記決定手段は、該受付手段が受付けた指示に応じて、使用する収容手段を選択するように構成したことにより、収容手段の空き不足を防止することができる画像読取装置を提供することを他の目的とする。
【００１７】
また、本発明は、画像読取が済んだ原稿を収容する前記収容手段、及び、画像が形成されたシートを収容する前記収容手段は共通の収容手段に一体化されていることにより、同一の収容手段に原稿又は印刷シートを選択的に収容することができる画像読取装置を提供することを他の目的とする。
【課題を解決するための手段】
【００１８】
本発明に係る画像読取装置は、原稿の画像読取を行う画像読取装置において、原稿取出用の開閉部を有し、画像読取が済んだ原稿を収容する収容手段と、前記開閉部を閉じた状態にロックするロック手段とを備えることを特徴とする。
【００１９】
本発明に係る画像読取装置は、読取った画像をシートに形成する画像形成手段と、シート取出用の開閉部を有し、画像が形成されたシートを収容する収容手段と、前記開閉部を閉じた状態にロックするロック手段とを備えることを特徴とする。
【００２０】
本発明に係る画像読取装置は、識別情報を記憶する記憶部と、識別情報を受付ける受付手段と、該受付手段が受付けた識別情報と前記記憶部に記憶されている識別情報とを照合する照合手段と、照合結果が一致の場合は、前記ロック手段によってロックされた状態を解除するロック解除手段とを備えることを特徴とする。
【００２１】
本発明に係る画像読取装置は、原稿取出用の開閉部を有し、画像読取を行う原稿を収容する収容手段と、画像読取の開始時に前記開閉部を閉じた状態にロックするロック手段と、画像読取の終了後、前記ロック手段によってロックされた状態を解除するロック解除手段とを備えることを特徴とする。
【００２２】
本発明に係る画像読取装置は、原稿取出用の開閉カバーを有し、原稿を載置又は通過させる原稿台と、画像読取の開始時に前記開閉カバーを閉じた状態にロックするロック手段と、画像読取の終了後、前記ロック手段によってロックされた状態を解除するロック解除手段とを備えることを特徴とする。
【００２３】
本発明に係る画像読取装置は、シート取出用の開閉カバーを有し、シートを搬送する搬送部と、画像形成の開始時に前記開閉カバーを閉じた状態にロックするロック手段と、画像形成の終了後に、前記ロック手段によってロックされた状態を解除するロック解除手段とを備えることを特徴とする。
【００２４】
本発明に係る画像読取装置は、画像読取が済んだ原稿を収容する前記収容手段は複数設けられており、使用する収容手段を決定する決定手段を備えることを特徴とする。
【００２５】
本発明に係る画像読取装置は、画像読取が済んだ原稿を収容する前記収容手段は複数設けられており、識別情報及び収容手段の対応関係を記憶する記憶部と、前記受付手段が受付けた識別情報及び前記対応関係に基づいて、使用する収容手段を決定する決定手段とを備えることを特徴とする。
【００２６】
本発明に係る画像読取装置は、前記記憶部には、識別情報に対応するアドレス情報が記憶されており、画像読取が済んだ原稿を収容する前記複数の収容手段が全て使用されている場合、前記記憶部に記憶されているアドレス情報に基づいて、原稿の回収要求を送信する送信手段を備えることを特徴とする。
【００２７】
本発明に係る画像読取装置は、前記ロック解除手段は、ロックされた時点から所定時間経過した場合、ロックされた状態を解除するように構成してあることを特徴とする。
【００２８】
本発明に係る画像読取装置は、画像読取が済んだ原稿を収容する前記複数の収容手段の一部は開閉部がロックされないように構成されており、前記開閉部のロックが必要か否かの指示を受付ける受付手段を備え、前記決定手段は、該受付手段が受付けた指示に応じて、使用する収容手段を決定するように構成してあることを特徴とする。
【００２９】
本発明に係る画像読取装置は、画像読取が済んだ原稿を収容する前記収容手段、及び、画像が形成されたシートを収容する前記収容手段は共通の収容手段に一体化されていることを特徴とする。
【００３０】
本発明においては、画像読取が済んだ原稿を原稿取出用の開閉部を有する収容手段に収容し、ロック手段で前記開閉部を閉じた状態にロックするため、画像読取が済んだ原稿を第三者から隔離することができ、画像読取後の原稿に対するセキュリティを向上させることができる。画像読取が済んだ原稿を監視し続けなくても、原稿のセキュリティを確保することができるため、ユーザは他の作業を行ないながら効率良くコピー又はスキャンを行なうことができる。
【００３１】
本発明においては、読取った画像を画像形成手段がシートに形成した後、画像が形成されたシート（以下、印刷シートという）をシート取出用の開閉部を有する収容手段に収容し、ロック手段で前記開閉部を閉じた状態にロックするため、画像が形成されたシートを第三者から隔離することができ、印刷シートに対するセキュリティを向上させることができる。コピー又はプリントの開始から終了までユーザが印刷シートを監視し続けなくても、印刷シートのセキュリティを確保することができるため、ユーザは他の作業を行ないながら効率良くコピー又はプリントを行なうことができる。
【００３２】
本発明においては、パスワードなどの識別情報を受付手段で受付け、受付けた識別情報と記憶部に予め記憶されている識別情報とを照合手段で照合し、照合結果が一致の場合はロック解除手段によって前記ロック手段のロックを解除するため、特定のユーザのみがロックを解除でき、収容手段に収容されている原稿又は印刷シートのセキュリティを確保することができる。
【００３３】
本発明においては、画像読取を行う原稿を原稿取出用の開閉部を有する収容手段に収容し、ロック手段で前記開閉部を閉じた状態にロックし、画像読取の終了後に前記ロック手段のロックをロック解除手段が解除するため、画像読取を行う原稿を第三者から隔離することができ、原稿に対するセキュリティを向上させることができる。画像読取を行う原稿を監視し続けなくても、原稿のセキュリティを確保することができるため、ユーザは他の作業を行ないながら効率良くコピー又はスキャンを行なうことができる。
【００３４】
本発明においては、原稿取出用の開閉カバーを有する原稿台に原稿を載置又は通過させる場合、ロック手段で前記開閉カバーを閉じた状態にロックし、画像読取の終了後に前記ロック手段のロックをロック解除手段が解除するため、画像読取中の原稿を第三者から隔離することができ、原稿に対するセキュリティを向上させることができる。画像読取中の原稿を監視し続けなくても、原稿のセキュリティを確保することができるため、ユーザは他の作業を行ないながら効率良くコピー又はスキャンを行なうことができる。
【００３５】
本発明においては、シート取出用の開閉カバーを有する搬送部をシートが通過する際に、ロック手段で前記開閉カバーを閉じた状態にロックし、画像形成の終了後に前記ロック手段のロックをロック解除手段が解除するため、搬送中のシートを第三者から隔離することができ、シートに対するセキュリティを向上させることができる。搬送中のシートを監視し続けなくても、シートのセキュリティを確保することができるため、ユーザは他の作業を行ないながら効率良くコピー又はプリントを行なうことができる。
【００３６】
本発明においては、画像読取が済んだ原稿を収容する前記収容手段は複数設けられており、使用する収容手段を決定手段で決定するため、ユーザ毎に別々の収容手段を使用するなど、ユーザの利便性が向上する。
【００３７】
本発明においては、画像読取が済んだ原稿を収容する前記収容手段は複数設けられており、識別情報及び収容手段の対応関係が記憶部に記憶されており、受付手段が受付けた識別情報及び前記対応関係に基づいて決定手段が使用する収容手段を決定するため、同一ユーザは同一収容手段を使用することになり、収容手段を効率的に使用することができる。
【００３８】
本発明においては、前記記憶部には識別情報に対応するアドレス情報が記憶されており、画像読取が済んだ原稿を収容する前記複数の収容手段が全て使用されている場合、前記記憶部に記憶されているアドレス情報に基づいて、送信手段から原稿の回収要求を送信するため、原稿又は印刷シートが未回収のユーザに通知を行うことができ、収容手段の空き不足を防止し、収容手段の使用効率を向上させることができる。
【００３９】
本発明においては、前記ロック解除手段は、ロックした時点から所定時間経過した場合はロックを解除するため、収容手段に原稿又は印刷シートを収容したままの状態を防止でき、収容手段の空き不足を防止し、収容手段の使用効率を向上させることができる。
【００４０】
本発明においては、画像読取が済んだ原稿を収容する前記複数の収容手段の一部は開閉部がロックされないように構成されており、前記開閉部のロックが必要か否かの指示を受付手段で受付け、受付けた指示に応じて決定手段が使用する収容手段を決定するため、機密性の低い原稿又は印刷シートに対してはロック機能なしの収容手段を用いることができ、収容手段の空き数不足を抑制し、収容手段の使用効率を向上させることができる。
【００４１】
本発明においては、画像読取が済んだ原稿を収容する前記収容手段、及び、画像が形成されたシートを収容する前記収容手段は共通の収容手段に一体化されているため、同一の収容手段に原稿又は印刷シートを選択的に収容することができ、収容手段の空き数不足を抑制し、収容手段の使用効率を向上させることができる。
【発明の効果】
【００４２】
本発明によれば、画像読取後の原稿に対するセキュリティを向上させることができる。
【００４３】
本発明によれば、画像が形成されたシートに対するセキュリティを向上させることができる。
【００４４】
本発明によれば、収容手段に収容されている原稿又は印刷シートのセキュリティを確保することができる。
【００４５】
本発明によれば、画像読取を行う原稿に対するセキュリティを向上させることができる。
【００４６】
本発明によれば、画像読取中の原稿に対するセキュリティを向上させることができる。
【００４７】
本発明によれば、搬送中のシートに対するセキュリティを向上させることができる。
【００４８】
本発明によれば、ユーザの利便性が向上する。
【００４９】
本発明によれば、収容手段を効率的に使用することができる。
【００５０】
本発明によれば、原稿又は印刷シートが未回収のユーザに通知を行うことができる。
【００５１】
本発明によれば、収容手段に原稿又は印刷シートを収容したままの状態を防止できる。
【００５２】
本発明によれば、収容手段の空き数不足を抑制することができる。
【００５３】
本発明によれば、同一の収容手段に原稿又は印刷シートを選択的に収容することができる。
【発明を実施するための最良の形態】
【００５４】
以下、本発明をその実施の形態を示す図面に基づいて具体的に説明する。
図１は本発明に係る画像読取装置を備える画像形成装置の構成例を示すブロック図であり、図２は前記画像形成装置の概略構成を示す正面図である。画像形成装置１０は、画像形成装置本体１２と、画像読取装置４０、原稿回収トレイ５０、及び排紙トレイ６０とを備えている。画像形成装置本体１２は、制御部２０、該制御部２０に接続された画像処理部２２、印刷処理部（画像形成手段）２４、通紙部（搬送部）２６、給紙トレイ２８、通信部３２、記憶部３４、操作部３６、及び照合部（照合手段）３８を備える。画像読取装置４０は原稿セット部４２及び原稿読取台（原稿台）４４を備え、原稿回収トレイ５０は第１トレイ５２、第２トレイ５４、第３トレイ５６、及び第４トレイ５８を備え、排紙トレイ６０は第１トレイ６２、第２トレイ６４、第３トレイ６６、及び第４トレイ６８を備える。
【００５５】
画像読取装置４０は、例えばイメージスキャナなどの原稿の画像を読取る装置であり、読取った原稿は、原稿回収トレイ５０に搬送される。通信部３２は、コンピュータ等の外部装置１８とのデータの送受信を行う例えばＬＡＮ（Local Area Network）インタフェースなどを有し、外部装置１８から画像データを受信したり、後述するセキュリティモードをオンにする場合などに必要となるユーザＩＤ及びパスワードを受信する。記憶部３４は、例えばＲＡＭ（Random Access Memory）又はハードディスクドライブなどの記憶装置であり、通信部３２が受信したデータ又は画像読取装置４０が読取った画像データなどを記憶したり、上述したユーザＩＤ及びパスワードの登録情報を記憶したり、原稿回収トレイ５０及び排紙トレイ６０の使用状況などの管理情報を記憶する。
【００５６】
画像処理部２２は、画像データに対して、濃度補正及びサイズ変更などの各種画像処理を行う。印刷処理部（画像形成手段）２４は、例えば通信部３２が受信した画像又は画像読取装置４０が読取った画像を感光体に形成し、形成した画像をシートに転写する。シートは給紙トレイ２８に格納されており、搬送路及び駆動ローラを有する通紙部（搬送部）２６によってシートが印刷処理部２４へ供給される。印刷処理部２４で画像が印刷されたシート（以下、印刷用紙という）は、排紙トレイ６０に搬送される。
【００５７】
操作部（受付手段）３６は、スタートボタン、テンキー、モード切換ボタン（コピーボタン、スキャナボタン、プリンタボタン）などの各種操作ボタン、及び、液晶表示パネルなどを備え、各種操作、各種設定、上述したユーザＩＤ及びパスワードなどの入力を受付ける。なお、液晶表示パネルとしてタッチパネルを用いることにより、液晶表示パネルで各種入力を受付けることも可能である。照合部（照合手段）３８は、操作部３６又は通信部３２で受付けたユーザＩＤ及びパスワードが記憶部３４に登録されているユーザＩＤ及びパスワードと一致しているか否かを照合する。
【００５８】
画像読取装置４０の原稿セット部（収容手段）４２には原稿を覆うシールド（開閉部）が設けられており、シールドには電子ロック（ロック手段。以下、ロックという）が設けられており、ロック時はシールドを開けることはできず、従って原稿を取出すことはできない。画像読取装置４０の原稿読取台（原稿台）４４のカバー（開閉カバー）にはロック（ロック手段）が設けられており、ロック時はカバーを開けることはできず、従って原稿を取出すことはできない。通紙部（搬送部）２６は、例えばジャム発生時にカバー（開閉カバー）２６ｂを開けて搬送路のシートを取出すことが可能であるが、カバー２６ｂにはロック（ロック手段）２６ａが設けられており、ロック時はカバー２６ｂを開けることはできず、従ってシートを取出すことはできない。
【００５９】
給紙トレイ２８にもロック２８ａが設けられており、ロックされている給紙トレイ２８を開けることはできず、シートを取出すことはできない。原稿回収トレイ５０は、ロック（ロック手段）なしの第１トレイ（以下、ロックなし原稿回収トレイという）５２と、ロック付きの第２，第３，第４トレイ（収容手段。以下、ロック付き原稿回収トレイという）５４，５６，５８とを備え、ロック時はロック付き原稿回収トレイ５４，５６，５８を開けることはできず、従って原稿を取出すことはできない。排紙トレイ６０は、ロック（ロック手段）なしの第１トレイ（以下、ロックなし排紙トレイという）６２と、ロック付きの第２，第３，第４トレイ（収容手段。以下、ロック付き排紙トレイという）６４，６６，６８とを備え、ロック時はロック付き排紙トレイ６４，６６，６８を開けることはできず、従って印刷用紙を取出すことはできない。
【００６０】
図３はロック付き原稿回収トレイの例を示す斜視図である。ロック付き原稿回収トレイ５４，５６，５８は、原稿を集積可能なボックス５４ｄ、５６ｄ、５８ｄと、開閉可能な扉（開閉部）５４ｃ，５６ｃ，５８ｃと、扉側ロック５４ｂ，５６ｂ，５８ｂと、ボックス側ロック５４ａ，４６ａ，５８ａとを備える。扉の開閉は自動又は手動である。また、ロック付き排紙トレイ６４，６６，６８の構成もロック付き原稿回収トレイ５４，５６，５８の構成と同様である。
【００６１】
図４は画像読取装置４０及び原稿回収トレイ５０の構成例を示す模式図である。画像読取装置４０は、原稿セット部４２、搬送ローラ７４、原稿読取台４４、ＣＣＤ（Charge Coupled Device）読取ユニット８０、ＣＩＳ（密着イメージセンサ）読取ユニット７８、及び排出ローラ８６を備える。原稿セット部４２は原稿をセットする部分であり、本発明においては、原稿セット部４２には、外部から原稿を隔離するためのシャッター７０が設けられている。このシャッター７０にはロック４２ａが設けられており、シャッター７０を閉めてロックした場合、シャッター７０内部の原稿はロックを解除しない限り取り出すことはできなくなる。また、原稿セット部４２は、シャッター７０を格納するシャッター格納部７２を備えており、後述するセキュリティモード・オフ時はシャッター７０をシャッター格納部７２に格納しておく。
【００６２】
また、原稿セット部４２には、原稿センサ７６が設けられており、原稿がセットされているか否かの検出結果を制御部２０へ送る。搬送ローラ７４は、原稿セット部４２にセットされた原稿を１枚ずつ搬送してＣＣＤ読取ユニット８０、ＣＩＳ読取ユニット７８に供給する。読取が完了した原稿は、排出ローラ８６によって原稿回収トレイ５０に搬送される。原稿回収トレイ５０は、トレイ５２，５４，５６，５８と、トレイ全体を上下移動させる上下移動装置８８とを備える。上下移動装置８８によりトレイ全体を上下に移動させ、原稿を排出するトレイが選択される。
【００６３】
原稿読取台４４は、上方へ原稿セット部４２（開閉カバー）を開けて、図示しない例えばブック原稿を載置し、ＣＣＤ読取ユニット８０で画像を読取ることも可能である。ＣＣＤ読取ユニット８０は、ＣＣＤ８４及び光学ユニット（露光走査装置）８２を備える。また、原稿読取台４４はロック４４ａを備えており、ロック時は原稿セット部４２（開閉カバー）を上方へ開くことはできない。
【００６４】
制御部２０は、図示しないＣＰＵ（Central Processing Unit）、制御プログラムが記憶されるＲＯＭ（Read Only Memory）及び一時的にデータを記憶するＲＡＭ（Random Access Memory）を備え、ＣＰＵがＲＯＭに記憶されている制御プログラムを実行して、画像形成装置１０内の上述した各構成部の制御を行う。本発明では、セキュリティモードのオン／オフの切換を操作部３６又は通信部（受付手段）３２で受付けることが可能であり、制御部（ロック手段、ロック解除手段）２０は、セキュリティモードのオン／オフ及び使用／未使用に応じて、各ロックのオン／オフを切換える。なお、以下では、ロックをオンにすることを単にロックすると記載し、ロックをオフにすることをロックを解除すると記載する。
【００６５】
制御部２０は使用する原稿回収トレイを決定するトレイ選択部（決定手段）として動作し、画像読取が完了した原稿の搬送先として原稿回収トレイ５２，５４，５６，５８の何れかを選択する。原稿回収トレイの選択方法としては、例えばセキュリティモードがオフ（以下、セキュリティ・オフという）の場合にはロックなし原稿回収トレイ５２を選択し、セキュリティモードがオン（以下、セキュリティ・オンという）の場合には、ロック付き原稿回収トレイ５４，５６，５８の何れかを選択する。制御部２０は、選択したロック付きのトレイと使用者のユーザＩＤとの対応関係を記憶部３４に記憶する。ただし、ロック付きのトレイの選択では、他のユーザが使用中のトレイを選択することはなく、空きトレイ又は同一ユーザが使用中のトレイを選択する。
【００６６】
制御部２０は使用する排紙トレイを決定するトレイ選択部（決定手段）として動作し、印刷用紙の搬送先として排紙トレイ６２，６４，６６，６８の何れかを選択する。排紙トレイの選択方法としては、例えば原稿回収トレイの選択と同様に、セキュリティ・オフ時にはロックなし排紙トレイ６２を選択し、セキュリティ・オン時には、ロック付き排紙トレイ６４，６６，６８のいずれかを選択する。制御部２０は、選択したロック付きのトレイと使用者のユーザＩＤとの対応関係を記憶部３４に記憶する。ただし、ロック付きのトレイの選択では、他のユーザが使用中のトレイを選択することはなく、空きトレイ又は同一ユーザが使用中のトレイを選択する。
【００６７】
制御部（ロック手段、ロック解除手段）２０はロック制御部として動作し、画像形成装置１０に備えられている各ロックのロック／ロック解除の制御を行なう。制御部２０は、例えば操作部３６又は通信部３２でセキュリティ・オンの指示を受付けた場合、装置内の必要な各ロックをオンにする。なお、セキュリティ・オフ時は全てのロックは解除された状態にする。以下、コピーモード、スキャナモード、プリンタモードにおけるセキュリティ・オン時のロックの状態を説明する。ただし、ロック付き原稿回収トレイ５４，５６，５８及びロック付き排紙トレイ６４，６６，６８は全て空き状態であるものとする。
【００６８】
セキュリティ・オンのコピーモードでは、コピー開始のスタートボタンが押下されるまで、全てのロックは解除されている。スタートボタンが押下された後は、原稿の持出を防止するため、制御部２０により、原稿セット部４２、原稿読取台４４、及び原稿回収トレイ（ロックが必要なトレイ）５０をロックする。また、印刷用紙の持出及び印刷中止を防止するため、制御部２０により、排紙トレイ（ロックが必要なトレイ）６０、通紙部２６、及び給紙トレイ２８をロックする。コピー完了後は、制御部２０により、原稿回収トレイ５０及び排紙トレイ６０のロックは継続して原稿及び印刷用紙を保護し、他のロックは解除して他のユーザが装置を使用できる状態にする。
【００６９】
セキュリティ・オンのスキャナモードでは、スキャン開始のスタートボタンが押下されるまで、全てのロックは解除されている。スタートボタンが押下された後は、原稿の持出を防止するため、制御部２０により、原稿セット部４２、原稿読取台４４、及び原稿回収トレイ（ロックが必要なトレイ）５０をロックする。スキャン完了後は、制御部２０により、原稿回収トレイ５０のロックは継続して原稿を保護し、他のロックは解除して他のユーザが装置を使用できる状態にする。
【００７０】
セキュリティ・オンのプリントモードでは、プリントデータを受信又はプリント開始のスタートボタンが押下されるまで、全てのロックは解除されている。プリントデータを受信又はスタートボタンが押下された後は、印刷用紙の持出及び印刷中止を防止するため、排紙トレイ（ロックが必要なトレイ）６０及び通紙部２６をロックする。プリント完了後は、排紙トレイ６０のロックは継続して印刷用紙を保護し、他のロックは解除して他のユーザが装置を使用できる状態にする。
【００７１】
次に、本発明の画像形成装置を使用する際の全体の動作フローについて説明する。図５は全体の動作を示すフローチャートである。操作部３６で各動作モード（コピーモード、スキャナモード、プリンタモード）の選択を受付け（Ｓ１０）、続いてセキュリティモード（セキュリティ・オン、オフ）の選択を受付ける（Ｓ１２）。制御部２０は、選択を受付けた各使用モード及びセキュリティモードに従って処理を実行する（Ｓ１４）。処理の実行完了後、セキュリティ・オン時は操作部３６への操作に応じて原稿及び／又は印刷用紙の回収処理を行う（Ｓ１６）。ただし、セキュリティ・オフ時は、原稿及び／又は印刷用紙の回収処理（Ｓ１６）を行わなくとも、上述した動作を再度開始することが可能である。また、セキュリティ・オン時であっても、原稿回収トレイ５０及び／又は排紙トレイ６０に空きがある場合は、上述した動作を再度開始することが可能である。
【００７２】
図６は動作モードの選択処理の例を示すフローチャートである。操作部３６のコピーボタンが押下された場合（Ｓ２０：ＹＥＳ）、制御部２０は、コピー中、スキャン中、又はプリント中であるか確認し、何れも実行されていなければ（Ｓ２２：ＮＯ）、コピーモードに設定する（Ｓ２４）。何れかが実行されている場合（Ｓ２２：ＹＥＳ）、制御部２０は、操作部３６に他の処理が実行中であることを表示し（Ｓ３８）、動作モードの選択を再度受付ける（Ｓ２０）。
【００７３】
コピーボタンが押下されず（Ｓ２０：ＮＯ）、スキャナボタンが押下された場合（Ｓ２６：ＹＥＳ）、制御部２０は、コピー中又はスキャン中であるか確認し、何れも実行されていなければ（Ｓ２８：ＮＯ）、スキャナモードに設定する（Ｓ３０）。何れかが実行されている場合（Ｓ２８：ＹＥＳ）、制御部２０は、操作部３６に他の処理が実行中であることを表示し（Ｓ３８）、動作モードの選択を再度受付ける（Ｓ２０）。スキャナボタンが押下されず（Ｓ２６：ＮＯ）、プリンタボタンが押下される又は通信部３２でプリントデータを受信した場合（Ｓ３２：ＹＥＳ）、制御部２０は、コピー中又はプリント中であるか確認し、何れも実行されていなければ（Ｓ３４：ＮＯ）、プリンタモードに設定する（Ｓ３６）。何れかが実行されている場合（Ｓ３４：ＹＥＳ）、制御部２０は、操作部３６に他の処理が実行中であることを表示し（Ｓ３８）、動作モードの選択を再度受付ける（Ｓ２０）。プリンタボタンが押下されなかった場合又はプリントデータを受信していない場合（Ｓ３２：ＮＯ）は動作モードの選択を再度受付ける（Ｓ２０）。
【００７４】
図７はセキュリティモードの選択処理の例を示すフローチャートである。操作部３６でセキュリティモードのオン指示を受付けた場合（Ｓ４０：ＹＥＳ）、操作部３６でユーザＩＤ及びパスワードを受付け（Ｓ４２）、照合部３８により、記憶部３４に予め登録されているユーザＩＤ及びパスワードと照合を行う（Ｓ４４）。照合結果が「一致」の場合（Ｓ４６：ＹＥＳ）、制御部２０は、セキュリティモードをオンに設定する（Ｓ５０）。照合結果が「不一致」の場合（Ｓ４６：ＮＯ）、制御部２０は、照合結果（不一致）を操作部３６に表示し（Ｓ４８）、再度ユーザＩＤ及びパスワードを受付ける（Ｓ４２）。また、セキュリティモードのオフ指示を受付けた場合（Ｓ４０：ＮＯ）、制御部２０は、セキュリティモードをオフに設定する（Ｓ５２）。
【００７５】
ここで、セキュリティモードのオン／オフは、操作部３６だけでなく、通信部３２で受付けることも可能である。図８は通信部３２が受信するプリントデータの例を示す概念図である。プリントデータは、印刷するデータに、セキュリティのモード指示、ユーザＩＤ及びパスワードが付加されている。セキュリティモードの選択において、プリントデータを受信した場合、制御部２０は、プリントデータに付加されているモード指示、ユーザＩＤ及びパスワードを抽出し、照合部３８へ送る。これにより、操作部３６で受付ける場合と同様に、セキュリティモードのオン／オフを設定することができる。
【００７６】
以下、動作モード（コピーモード、スキャナモード、プリンタモード）とセキュリティモード（オン、オフ）との組合せに応じて実行される処理を説明する。図９は、選択されたモードに応じた処理（セキュリティ・オフ、コピーモード）の例を示すフローチャートである。原稿が原稿セット部４２にセットされていることが確認（Ｓ６０）された後、操作部３６でコピー部数、用紙サイズ、両面コピー等の各種設定を受付け（Ｓ６２）、スタートボタンが押下（Ｓ６４）された場合、画像処理装置４０は原稿を１ページずつ読取り（Ｓ６６）、読取った原稿をロックなし原稿回収トレイ５２へ搬送する（Ｓ６８）。印刷処理部２４は、読取った原稿の画像データを用紙に印刷し（Ｓ７０）、印刷用紙をロックなし排紙トレイ６２へ搬送する（Ｓ７２）。他の原稿がある場合（Ｓ７４：ＹＥＳ）は原稿読取（Ｓ６６）を行い、他の原稿がなくなった場合（Ｓ７４：ＮＯ）、選択されたモードに応じた処理は終了する。
【００７７】
図１０及び１１は選択されたモードに応じた処理（セキュリティ・オン、コピーモード）の例を示すフローチャートである。制御部２０は、記憶部３４に記憶されている管理情報に基づいて、ロック付き原稿回収トレイ５４，５６，５８に空きがあるか確認する。空きがある場合（Ｓ８０：ＹＥＳ）、制御部２０は、記憶部３４に記憶されている管理情報に基づいて、ロック付き排紙トレイ６４，６６，６８に空きがあるか確認する。何れにも空きがない場合（Ｓ８０：ＮＯ、Ｓ８２：ＮＯ）、制御部２０は、セキュリティ・オンでのコピーは不可であることを操作部３６に表示し（Ｓ８４）、処理を終了する。
【００７８】
両方に空きがある場合（Ｓ８２：ＹＥＳ）、制御部２０は、夫々使用するトレイを決定する（Ｓ８６、Ｓ８８）。例えば複数の空きトレイのうち、トレイ番号の若い方に決定することが可能である。このとき決定したトレイ番号は、制御部２０により、記憶部３４にユーザＩＤと共に記憶される。トレイの決定後、原稿が原稿セット部４２にセットされていることが確認（Ｓ９０）された後、操作部３６でコピー部数、用紙サイズ、両面コピー等の各種設定を受付け（Ｓ９２）、スタートボタンが押下（Ｓ９４）された場合、制御部２０は、原稿セット部４２、使用するロック付き原稿回収トレイ５４，５６，５８、使用するロック付き排紙トレイ６４，６６，６８、原稿読取台４４、通紙部２６、及び給紙トレイ２８をロックする（Ｓ９６）。
【００７９】
必要箇所のロックが完了していない場合（Ｓ９８：ＮＯ）、制御部２０は、トレイの扉又はシャッターが閉まっているか確認を要求する画面を操作部３６に表示し（Ｓ１００）、スタートボタン押下前の状態へ戻る（Ｓ９４）。必要箇所のロックが完了している場合（Ｓ９８：ＹＥＳ）、画像読取装置４０は原稿を１ページずつ読取り（Ｓ１０２）、読取った原稿を決定されたロック付き原稿回収トレイ５４，５６，５８へ搬送する（Ｓ１０４）。印刷処理部２４は、読取った原稿の画像データを用紙に印刷し（Ｓ１０６）、印刷用紙を決定されたロック付き排紙トレイ６４，６６，６８へ搬送する（Ｓ１０８）。他の原稿がある場合（Ｓ１１０：ＹＥＳ）は原稿読取（Ｓ１０２）を行い、他の原稿がなくなった場合（Ｓ１１０：ＮＯ）、制御部２０は、原稿セット部４２、原稿読取台４４、通紙部２６、及び給紙トレイ２８のロックを解除し（Ｓ１１２）、選択されたモードに応じた処理は終了する。
【００８０】
図１２は選択されたモードに応じた処理（セキュリティ・オフ、スキャナモード）の例を示すフローチャートである。原稿が原稿セット部４２にセットされていることが確認（Ｓ１２０）された後、操作部３６で画像サイズ、スキャンデータの圧縮率、転送先等の各種設定を受付け（Ｓ１２２）、スタートボタンが押下（Ｓ１２４）された場合、画像読取装置４０は原稿を１ページずつ読取る（Ｓ１２６）。読取った原稿はロックなし原稿回収トレイ５２へ搬送される（Ｓ１２８）。他の原稿がある場合（Ｓ１３０：ＹＥＳ）は原稿読取（Ｓ１２６）を行い、他の原稿がなくなった場合（Ｓ１３０：ＮＯ）は、制御部２０の制御によってスキャンデータの通信部３２からの送信又は記憶部３４への記憶を行い（Ｓ１３２）、選択されたモードに応じた処理は終了する。
【００８１】
図１３及び１４は選択されたモードに応じた処理（セキュリティ・オン、スキャナモード）の例を示すフローチャートである。制御部２０は、記憶部３４に記憶されている管理情報に基づいて、ロック付き原稿回収トレイ５４，５６，５８に空きがあるか確認し、空きがない場合（Ｓ１４０：ＮＯ）、セキュリティ・オンでのスキャンは実行不可であることを操作部３６に表示し（Ｓ１４２）、処理を終了する。空きトレイがある場合（Ｓ１４０：ＹＥＳ）、制御部２０は、使用するトレイを決定する（Ｓ１４４）。例えば複数の空きトレイのうち、トレイ番号の若い方に決定することが可能である。このとき決定したトレイ番号は、制御部２０により、記憶部３４にユーザＩＤと共に記憶される。
【００８２】
トレイの決定後、原稿が原稿セット部４２にセットされていることが確認（Ｓ１４６）された後、操作部３６で画像サイズ、スキャンデータの圧縮率、転送先等の各種設定を受付け（Ｓ１４８）、スタートボタンが押下（Ｓ１５０）された場合、制御部２０は、原稿セット部４２、使用するロック付き原稿回収トレイ５４，５６，５８、及び原稿読取台４４をロックする（Ｓ１５２）。必要箇所のロックが完了していない場合（Ｓ１５４：ＮＯ）、制御部２０は、トレイの扉又はシャッターが閉まっているか確認を要求する画面を操作部３６に表示し（Ｓ１５６）、スタートボタン押下前の状態へ戻る（Ｓ１５０）。
【００８３】
必要箇所のロックが完了している場合（Ｓ１５４：ＹＥＳ）、画像読取装置４０は原稿を１ページずつ読取り（Ｓ１５８）、読取った原稿を決定されたロック付き原稿回収トレイ５４，５６，５８へ搬送する（Ｓ１６０）。他の原稿がある場合（Ｓ１６２：ＹＥＳ）は原稿読取（Ｓ１５８）を行い、他の原稿がない場合（Ｓ１６２：ＮＯ）、制御部２０は、原稿セット部４２及び原稿読取台４４のロックを解除し（Ｓ１６４）、スキャンデータの通信部３２からの送信又は記憶部３４への記憶を行い（Ｓ１６６）、選択されたモードに応じた処理は終了する。
【００８４】
図１５は選択されたモードに応じた処理（セキュリティ・オフ、プリンタモード）の例を示すフローチャートである。操作部３６でプリンタボタンが押下され、記憶部３４に記憶されているホールドデータの印刷を行う場合（Ｓ１７０：ＹＥＳ）、制御部２０は、操作部３６にホールドデータの一覧を表示し、印刷するデータの選択を受付け（Ｓ１７２）、スタートボタンが押下（Ｓ１７４）された場合、印刷処理部２４は、選択されたデータの印刷を行う（Ｓ１７６）。また、通信部３２でプリントデータを受信した場合（Ｓ１７０：ＮＯ）、印刷処理部２４は、受信したデータの印刷を行う（Ｓ１７６）。印刷用紙はロックなし排紙トレイへ搬送され（Ｓ１７８）、選択されたモードに応じた処理は終了する。
【００８５】
図１６及び１７は選択されたモードに応じた処理（セキュリティ・オン、プリンタモード）の例を示すフローチャートである。制御部２０は、記憶部３４に記憶されている管理情報に基づいて、ロック付き排紙トレイ６４，６６，６８に空きがあるか確認し、空きがない場合（Ｓ１８０：ＮＯ）、待機プリントを行う（Ｓ１８２）。空きトレイがある場合（Ｓ１８０：ＹＥＳ）、制御部２０は、使用するトレイを決定する（Ｓ１８４）。例えば複数の空きトレイのうち、トレイ番号の若い方に決定することが可能である。このとき決定したトレイ番号は、制御部２０により、記憶部３４にユーザＩＤと共に記憶される。
【００８６】
操作部３６でプリントボタンが押下され、記憶部３４に記憶されているホールドデータの印刷を行う場合（Ｓ１８６：ＹＥＳ）、制御部２０は、操作部３６にホールドデータの一覧を表示し、印刷するデータの選択を受付ける（Ｓ１８８）。その後スタートボタンが押下（Ｓ１９０）された場合又は通信部３２がプリントデータを受信した場合（Ｓ１８６：ＮＯ）、制御部２０は、使用するロック付き排紙トレイ５４，５６，５８、通紙部２６、及び給紙トレイ２８をロックする（Ｓ１９２）。必要箇所のロックが完了していない場合（Ｓ１９４：ＮＯ）、制御部２０は、トレイの扉又はシャッターが閉まっているか確認を要求する画面を操作部３６に表示し（Ｓ１９６）、スタートボタン押下前の状態へ戻る（Ｓ１９０）。必要箇所のロックが完了した場合（Ｓ１９４：ＹＥＳ）、印刷処理部２４は、選択されたデータ又は受信したデータの印刷を行い（Ｓ１９８）、印刷用紙は決定されたロック付き排紙トレイへ搬送される（Ｓ２００）。制御部２０は、通紙部２６及び給紙トレイ２８のロックを解除し（Ｓ２０２）、選択されたモードに応じた処理は終了する。
【００８７】
図１８は待機プリントの処理の例を示すフローチャートである。操作部３６でプリンタボタンが押下され、記憶部３４に記憶されているホールドデータの印刷を行う場合（Ｓ２１０：ＹＥＳ）、制御部２０は、操作部３６にホールドデータの一覧を表示し、印刷するデータの選択を受付ける（Ｓ２１２）。その後スタートボタン（Ｓ２１４）が押下された場合又は通信部３２がプリントデータを受信した場合（Ｓ２１０：ＮＯ）、制御部２０は、使用するロック付き排紙トレイが決定済みでない場合（Ｓ２１６：ＮＯ）、ロック付き排紙トレイの空きが生じるまで待機し（Ｓ２１８：ＮＯ）、空きが生じた場合（Ｓ２１８：ＹＥＳ）、使用するロック付き排紙トレイを決定し（Ｓ２２０）、決定したトレイ番号をユーザＩＤと共に記憶部３４に記憶する。
【００８８】
トレイが決定されている場合（Ｓ２１６：ＹＥＳ、又は、Ｓ２２０）、制御部２０は、使用するロック付き排紙トレイ６４，６６，６８、通紙部２６、及び給紙トレイ２８をロックする（Ｓ２２２）。必要箇所のロックが完了していない場合（Ｓ２２４：ＮＯ）、制御部２０は、トレイの扉又はシャッターが閉まっているか確認を要求する画面を操作部３６に表示し（Ｓ２２６）、スタートボタン押下前の状態へ戻る（Ｓ２１４）。必要箇所のロックが完了した場合（Ｓ２２４：ＹＥＳ）、印刷処理部２４は、選択されたデータ又は受信したデータの印刷を行い（Ｓ２２８）、印刷用紙は決定されたロック付き排紙トレイへ搬送される（Ｓ２３０）。制御部２０は、通紙部２６及び給紙トレイ２８のロックを解除し（Ｓ２３２）、選択されたモードに応じた処理は終了する。
【００８９】
セキュリティ・オフ時は、原稿及び／又は印刷用紙はロックなしトレイに収容されている為、ユーザが回収したいときに自由に回収できる。一方、セキュリティ・オン時は、原稿及び／又は印刷用紙はロック付きトレイに収容されている為、ユーザは原稿及び／又は印刷用紙を回収する際にロックを解除する必要がある。
【００９０】
図１９はセキュリティ・オン時の原稿及び／又は印刷用紙の回収の処理の例を示すフローチャートである。操作部３６で原稿及び／又は印刷用紙の回収指示を受付け（Ｓ２４０）た後、ユーザＩＤ及びパスワードを受付け（Ｓ２４２）た場合、照合部３８は、入力されたユーザＩＤ及びパスワードを記憶部３４の登録情報（ユーザＩＤ及びパスワード）と照合する（Ｓ２４４）。照合結果が不一致の場合（Ｓ２４６：ＮＯ）、制御部２０は、照合結果を操作部３６に表示又は通信部３２から送信し（Ｓ２４８）、ユーザＩＤ及びパスワードを再度受付ける（Ｓ２４２）。
【００９１】
照合結果が「一致」の場合（Ｓ２４６：ＹＥＳ）、制御部２０は、記憶部３４に記憶されている管理情報に基づいてユーザ（ユーザＩＤ）のトレイ使用状況を確認し（Ｓ２５０）、使用しているトレイがあれば（Ｓ２５２：ＮＯ）、トレイ使用状況が操作部３６に表示され（Ｓ２５４）、ロックを解除するトレイの選択を操作部３６で受付け（Ｓ２５６）、選択されたトレイのロックを解除する（Ｓ２５８）。ユーザは、ロックが解除されたトレイから原稿又は印刷用紙を回収することができる。使用しているトレイがない場合（Ｓ２５２：ＹＥＳ）は、原稿及び／又は印刷用紙の回収の処理を終了する。
【００９２】
ロック付き原稿回収トレイ及び／又は排紙トレイに空きがなく、セキュリティ・オンでの処理が実行できない場合の対応策として、画像形成装置１０の記憶部にユーザＩＤと電子メールアドレスなどのアドレス情報を予め登録しておき、ロック付き原稿回収トレイ及び／又は排紙トレイに収納されている原稿及び／又は印刷用紙の回収要求をアドレス情報に基づいて通信部（送信手段）３２から送信することも可能である。また、その他の対応策として、記憶部３４に、ロック付き原稿回収トレイ及び／又は排紙トレイのロック可能時間を予め記憶しておき、ロックしてから前記ロック可能時間を経過した場合、制御部２０により前記ロックを解除することも可能である。
【００９３】
上述した実施の形態においては、原稿回収トレイ５０と排紙トレイ６０とを別々の装置としたが、両者を一体的に構成することも可能である。図２０は、一体型の原稿回収トレイ及び排紙トレイの概略を示す正面図であり、ロックなしのトレイ５２，６２とロック付きのトレイ５４，５６，５８，６４，６６，６８とが一体型となっており、トレイ全体が図示しない移動装置により上下に移動される。以下、一体型トレイを用いてセキュリティ・オン時のコピーを行う場合を例にして説明する。原稿の読取を行い、読取った画像データを記憶部３４に記憶し、画像読取が済んだ原稿を空いているロック付きのトレイへ搬送する。このとき印刷は実行されておらず、原稿が全て読取られ、ロック付きトレイに搬送された後、上下移動装置によりトレイ全体を移動させた後、印刷が開始され、印刷用紙を空いているロック付きトレイに搬送する。この場合、原稿回収トレイと排紙トレイとを区別する必要がなく、トレイを有効に使用することができ、空きトレイ不足を緩和することができる。
【００９４】
また、上述した実施の形態においては、ユーザ（ユーザＩＤ）毎にトレイを割当てているが、ユーザに割当可能なトレイを予め設定しておくことも可能である。また、ユーザ（ユーザＩＤ）を予めグループ毎にまとめておき、グループ単位でトレイを割当てることも可能である。
【図面の簡単な説明】
【００９５】
【図１】本発明に係る画像読取装置を備える画像形成装置の構成例を示すブロック図である。
【図２】画像形成装置の概略構成を示す正面図である。
【図３】ロック付き原稿回収トレイの例を示す斜視図である。
【図４】画像読取装置及び原稿回収トレイの構成例を示す模式図である。
【図５】全体の動作を示すフローチャートである。
【図６】動作モードの選択処理の例を示すフローチャートである。
【図７】セキュリティモードの選択処理の例を示すフローチャートである。
【図８】通信部が受信するプリントデータの例を示す概念図である。
【図９】選択されたモードに応じた処理（セキュリティ・オフ、コピーモード）の例を示すフローチャートである。
【図１０】選択されたモードに応じた処理（セキュリティ・オン、コピーモード）の例を示すフローチャートである。
【図１１】選択されたモードに応じた処理（セキュリティ・オン、コピーモード）の例を示すフローチャートである。
【図１２】選択されたモードに応じた処理（セキュリティ・オフ、スキャナモード）の例を示すフローチャートである。
【図１３】選択されたモードに応じた処理（セキュリティ・オン、スキャナモード）の例を示すフローチャートである。
【図１４】選択されたモードに応じた処理（セキュリティ・オン、スキャナモード）の例を示すフローチャートである。
【図１５】選択されたモードに応じた処理（セキュリティ・オフ、プリンタモード）の例を示すフローチャートである。
【図１６】選択されたモードに応じた処理（セキュリティ・オン、プリンタモード）の例を示すフローチャートである。
【図１７】選択されたモードに応じた処理（セキュリティ・オン、プリンタモード）の例を示すフローチャートである。
【図１８】待機プリントの処理の例を示すフローチャートである。
【図１９】セキュリティ・オン時の原稿及び／又は印刷用紙の回収の処理の例を示すフローチャートである。
【図２０】一体型の原稿回収トレイ及び排紙トレイの概略を示す正面図である。
【符号の説明】
【００９６】
１０  画像形成装置
１８  外部装置
２０  制御部
２４  印刷処理部
２６  通紙部
２８  給紙トレイ
３２  通信部
３４  記憶部
３６  操作部
３８  照合部
４０  画像読取装置
４２  原稿セット部
４４  原稿読取台
５０  原稿回収トレイ
５２  ロックなし原稿回収トレイ
５４、５６、５８  ロック付き原稿回収トレイ
６０  排紙トレイ
６２  ロックなし排紙トレイ
６４、６６、６８  ロック付き排紙トレイ
【図１】
2006333020.tif 000003
【図２】
2006333020.tif 000004
【図３】
2006333020.tif 000005
【図４】
2006333020.tif 000006
【図５】
2006333020.tif 000007
【図６】
2006333020.tif 000008
【図７】
2006333020.tif 000009
【図８】
2006333020.tif 000010
【図９】
2006333020.tif 000011
【図１０】
2006333020.tif 000012
【図１１】
2006333020.tif 000013
【図１２】
2006333020.tif 000014
【図１３】
2006333020.tif 000015
【図１４】
2006333020.tif 000016
【図１５】
2006333020.tif 000017
【図１６】
2006333020.tif 000018
【図１７】
2006333020.tif 000019
【図１８】
2006333020.tif 000020
【図１９】
2006333020.tif 000021
【図２０】
2006333020.tif 000022